(57)【要約】
【要約書】
【課題】　五月節句におけるマンネリ化を打開して、新しい感覚の飾り映えのする弓太刀揃を提供する。
【解決手段】　挿入穴を穿設する受板５を台盤１上に直立設置した支柱上に設け、挿入穴両側の受板５に矢じり６ａを台盤１上面となるよう矢６を挿入して直立設置し、弓本体８に藤９を巻いて仕上げた重藤弓７一端を台盤１上に設けて挿入穴に挿入して受板５にて受け止め抑板１１にて重藤弓７を抑え、抑紐１２にて重籐弓７と抑板１１を結び抑紐１２を受板５に固定し、抑紐１２両端の房１２ａを前面に垂下してなる弓矢飾りに於いて、一本若しくは三本以上の矢６を略平行に設けて飾るようにしたものである。
【選択図】　図１
0003099498.tif 000002
【実用新案登録請求の範囲】
【請求項１】
　挿入穴を穿設する受板を台盤上に直立設置した支柱上に設け、挿入穴両側の受板に矢じりを台盤上面となるよう矢を挿入して直立設置し、弓本体に藤を巻いて仕上げた重藤弓一端を台盤上に設けて挿入穴に挿入して受板にて受け止め抑板にて重藤弓を抑え、抑紐にて重籐弓と抑板を結び抑紐を受板に固定し、抑紐両端の房を前面に垂下してなる弓太刀揃に於いて、一本若しくは三本以上の矢を略平行に設けて飾るようにしたことを特徴とする五月節句用弓太刀揃。
【請求項２】
　藤に赤色或は朱色などの着色を施してなる請求項１記載の五月節句用弓太刀揃。
【請求項３】
　弓本体を竹材若しくは木材としてなる請求項１記載の五月節句用弓太刀揃。
【請求項４】
　飾る矢が奇数の場合、奇数の矢の一本は重籐弓の弦前面に設けるようにしてなる請求項１記載の五月節句用弓太刀揃。
【考案の詳細な説明】
【考案の詳細な説明】
【技術分野】
【０００１】　本考案は、五月節句に飾る五月節句用弓太刀揃に関するものである。
【背景技術】
【０００２】　平安時代から端午の節句として祝っていたが、次第に男の子の節句のようになり、鎧・兜・弓・矢・太刀などを飾るようになって来た。
　近年に至っては、鎧・兜・弓・矢・太刀などに趣向を凝らしたものや、地方によって独特の飾り方がされるようになって来た。
　そのような中で、鎧や兜の両側に必要な弓・矢・太刀の弓太刀揃も、主役の鎧や兜と共に引き立つように工夫されてきている。
【考案が解決しようとする課題】
【０００３】　このように工夫されている弓太刀揃も未の感があり、マンネリ化してきており、弓太刀揃を飾るうえに於いて非常に不都合を感じていた。
【課題を解決するための手段】
【０００４】　本考案はこのような不都合を解消するもので、
　挿入穴を穿設する受板を台盤上に直立設置した支柱上に設け、挿入穴両側の受板に矢じりを台盤上面となるよう矢を挿入して直立設置し、弓本体に藤を巻いて仕上げた重藤弓一端を台盤上に設けて挿入穴に挿入して受板にて受け止め抑板にて重藤弓を抑え、抑紐にて重籐弓と抑板を結び抑紐を受板に固定し、抑紐両端の房を前面に垂下してなる弓太刀揃に於いて、一本若しくは三本以上の矢を略平行に設けて飾るようにしたものである。
　更に弓本体を竹材若しくは木材とし、弓本体に巻いた藤を赤色或は朱色などの着色を施し、飾る矢が奇数の場合には奇数の矢の一本は重籐弓の弦前面に設けるようにしたものである。
【作用】
【０００５】　使用に当たっては従来と同じように飾れば良い。
　このように飾ると、矢の本数の違いによって今迄と異なった感じがして飾り映えがし、更に弓本体に巻いた赤色或は朱色などの着色を施した藤に目が引かれ、弓太刀揃として兜や鎧などと共に飾ることによって今までに無い雰囲気を漂わせ、全く新しい感覚の飾り付けとなり飽きる事無く見て楽しむことが出来る。
【実施の形態】
【０００６】　以下本考案の一実施例を図面について説明する。
　本実施例は矢を四本用いた場合についてである。
　図中１は台盤であって、台受２にて四箇所を支持している。
　３は曲線美を有する支柱であって、台盤１片側上面に直立設置し、側面に補強板４を設けて該支柱３の補強をしている。
　５は挿入穴５ａを中央に穿設した略ハート形の受板であって、前記支柱３上部に挿入穴５ａを補強板４と反対側となるよう前部が下方となるよう傾斜させて設けている。
【０００７】　６は矢であって、受板５の挿入穴５ａの両側の受板５先端部に矢じり６ａを台盤１上面に固定するよう受板５に挿入し、四本が略平行となるよう直立設置している。
　尚、図では垂直に直立設置した場合を示しているが、必ず垂直に限定するものでなく傾斜させて直立設置しても良い。
　７は竹材若しくは木材からなる弓本体８に赤色の着色を施した藤９を巻いて仕上げた重藤弓であって、一端を台盤１上の支柱３と反対側に設けた受体１０に載置し、略中央を挿入穴５ａに挿入して受板５にて受け止めている。
　１１は中央に通穴を設け飾り紐を通す円形の飾りを兼ねた抑板であって、受板５上面にて重藤弓７を抑え、抑紐１２を通して抑紐１２を受板５に固定し、抑紐１２の両端の房１２ａを前面に垂下している。
【０００８】　使用に当たっては従来と同じように飾れば良い。
　このように飾ると、弓本体に巻いた赤色の着色を施した藤に目が引かれると共に、四本の矢が目立って飾りばえのする弓太刀揃として兜や鎧などと共に飾り、今までに無い新しい感覚を漂わせている雰囲気をて楽しむことが出来る。
【考案の効果】
【０００９】　上述の如く本考案の請求項１に於いては、今までに無かった一本若しくは三本以上を設けて飾るようにした矢が目立って飾り映えがする。
　請求項２に於いては、弓本体に巻いた赤色或は朱色などの着色を施した藤に目が引かれる。
　請求項３に於いては、弓本体に材料による独特の気品を持たせることが出来る。
　請求項４に於いては、飾る矢が奇数の場合、奇数の矢の一本は重籐弓の弦前面に設けるようにしたことによって、更に矢が目立って飾り映えがする。
　このように一本若しくは三本以上を設け、更に奇数の矢の一本を重籐弓の弦前面に設けて飾るようにした矢と、赤色或は朱色などの着色を施した藤と材料との相乗作用によって今までに無い雰囲気を漂わせ、全く新しい感覚の飾り付けとなり飽きる事無く見て楽しむことが出来る等多くの特長が有り実用上非常に優れた考案である。
【図面の簡単な説明】
【図１】　本考案実施例の正面図である
【図２】　本考案実施例の右側面図である
【符号の説明】
　１　　台盤
　２　　台受
　３　　支柱
　４　　補強板
　５　　受板
　５ａ　挿入穴
　６　　矢
　６ａ　矢じり
　７　　重藤弓
　８　　弓本体
　９　　藤
１０　　受体
１１　　抑板
１２　　抑紐
１２ａ　房
【図１】
0003099498.tif 000003
【図２】
0003099498.tif 000004
【手続補正書】
【提出日】平成15年9月4日(2003.9.4)
【手続補正２】
【補正対象書類名】実用新案登録請求の範囲
【補正対象項目名】全文
【補正方法】変更
【補正の内容】
【実用新案登録請求の範囲】
【請求項１】
　挿入穴を穿設する受板を台盤上に直立設置した支柱上に設け、挿入穴両側の受板に矢じりを台盤上面となるよう矢を挿入して直立設置し、弓本体に藤を巻いて仕上げた重藤弓一端を台盤上に設けて挿入穴に挿入して受板にて受け止め抑板にて重藤弓を抑え、抑紐にて重籐弓と抑板を結び抑紐を受板に固定し、抑紐両端の房を前面に垂下してなる弓太刀飾りに於いて、一本若しくは三本以上の矢を略平行に設けて飾るようにしたことを特徴とする五月節句用弓太刀飾り。
【請求項２】
　藤に赤色或は朱色などの着色を施してなる請求項１記載の五月節句用弓太刀飾り。
【請求項３】
　弓本体を竹材若しくは木材としてなる請求項１記載の五月節句用弓太刀飾り。
【請求項４】
　飾る矢が奇数の場合、奇数の矢の一本は重籐弓の弦前面に設けるようにしてなる請求項１記載の五月節句用弓太刀飾り。
【手続補正３】
【補正対象書類名】明細書
【補正対象項目名】０００１
【補正方法】変更
【補正の内容】
【０００１】　本考案は、五月節句に飾る五月節句用弓太刀飾りに関するものである。
【手続補正４】
【補正対象書類名】明細書
【補正対象項目名】０００３
【補正方法】変更
【補正の内容】
【０００３】　このように工夫されている弓太刀飾りも未の感があり、マンネリ化してきてお、弓太刀飾りを飾るうえに於いて非常に不都合を感じていた。
【手続補正５】
【補正対象書類名】明細書
【補正対象項目名】０００４
【補正方法】変更
【補正の内容】
【０００４】　本考案はこのような不都合を解消するもので、　挿入穴を穿設する受板を台盤上に直立設置した支柱上に設け、挿入穴両側の受板に矢じりを台盤上面となるよう矢を挿入して直立設置し、弓本体に藤を巻いて仕上げた重藤弓一端を台盤上に設けて挿入穴に挿入して受板にて受け止め抑板にて重藤弓を抑え、抑紐にて重籐弓と抑板を結び抑紐を受板に固定し、抑紐両端の房を前面に垂下してなる弓太刀飾りに於いて、一本若しくは三本以上の矢を略平行に設けて飾るようにしたものである。　更に弓本体を竹材若しくは木材とし、弓本体に巻いた藤を赤色或は朱色などの着色を施し、飾る矢が奇数の場合には奇数の矢の一本は重籐弓の弦前面に設けるようにしたものである。
【手続補正６】
【補正対象書類名】明細書
【補正対象項目名】０００５
【補正方法】変更
【補正の内容】
【０００５】　使用に当たっては従来と同じように飾れば良い。　このように飾ると、矢の本数の違いによって今迄と異なった感じがして飾り映えがし、更に弓本体に巻いた赤色或は朱色などの着色を施した藤に目が引かれ、弓太刀飾りとして兜や鎧などと共に飾ることによって今までに無い雰囲気を漂わせ、全く新しい感覚の飾り付けとなり飽きる事無く見て楽しむことが出来る。
【手続補正７】
【補正対象書類名】明細書
【補正対象項目名】０００８
【補正方法】変更
【補正の内容】
【０００８】　使用に当たっては従来と同じように飾れば良い。　このように飾ると、弓本体に巻いた赤色の着色を施した藤に目が引かれると共に、四本の矢が目立って飾りばえのする弓太刀飾りとして兜や鎧などと共に飾り、今までに無い新しい感覚を漂わせている雰囲気をて楽しむことが出来る。